【手続補正書】
【提出日】平成17年8月22日(2005.8.22)
【手続補正１】
【補正対象書類名】明細書
【補正対象項目名】特許請求の範囲
【補正方法】変更
【補正の内容】
【特許請求の範囲】
【請求項１】  公衆電話網の交換機またはそれに相当する構内交換機等の交換機に回線を介し接続される一方、当該回線を自装置と共有する他の通信端末装置のオン／オフフックに応じてオンフック状態またはオフフック状態となる当該回線がオンフックまたはオフフックのいずれの状態であるかを検出し、その検出結果に応じて所定の動作を行う通信端末装置において、
前記回線の直流電圧を測定してその電圧値を得る回線電圧測定手段と、基準オフフック電圧値を記憶する基準オフフック電圧値記憶手段と、前記他の通信端末装置をオフフックするよう指示する所定の表示を行う他端末オフフック指示手段と、その他端末オフフック指示手段による当該所定の表示の後、前記他の通信端末装置が今オフフックされていることを示す所定の操作入力を検出する他端末オフフック認識手段と、その他端末オフフック認識手段により、その所定の操作入力が検出された後に、前記回線電圧測定手段により測定された電圧値を前記基準オフフック電圧値として前記基準オフフック電圧値記憶手段に設定・記憶させる基準オフフック電圧値設定手段と、前記基準オフフック電圧値記憶手段に記憶された基準オフフック電圧値と、前記回線電圧測定手段に前記回線の直流電圧を測定させて得られた電圧値とに基づいて、前記回線はオフフック状態であると検出するオン／オフフック状態検出手段とを備え、そのオン／オフフック状態検出手段の検出結果に応じて前記所定の動作を行うことを特徴とする通信端末装置。
【請求項２】  公衆電話網の交換機またはそれに相当する構内交換機等の交換機に回線を介し接続される一方、当該回線を自装置と共有する他の通信端末装置のオン／オフフックに応じてオンフック状態またはオフフック状態となる当該回線がオンフックまたはオフフックのいずれの状態であるかを検出し、その検出結果に応じて所定の動作を行う通信端末装置において、
前記回線の直流電圧を測定してその電圧値を得る回線電圧測定手段と、基準オフフック電圧値を記憶する基準オフフック電圧値記憶手段と、自装置が設置され得る複数の地域をそれぞれ識別するための各設置地域識別情報と、それら各設置地域に適合する基準オフフック電圧値とを対応付けて予め記憶する地域別基準電圧値記憶手段と、所定の操作入力により指定された、自装置が実際に設置された地域に対応する前記設置地域識別情報に前記地域別基準オフフック電圧記憶手段において対応する基準オフフック電圧値を、前記基準オフフック電圧値記憶手段に設定・記憶させる基準オフフック電圧値設定手段と、前記基準オフフック電圧値記憶手段に記憶された基準オフフック電圧値と、前記回線電圧測定手段に前記回線の直流電圧を測定させて得られた電圧値とに基づいて、前記回線はオフフック状態であると検出するオン／オフフック状態検出手段とを備え、そのオン／オフフック状態検出手段の検出結果に応じて前記所定の動作を行うことを特徴とする通信端末装置。
【請求項３】  公衆電話網の交換機またはそれに相当する構内交換機等の交換機に回線を介し接続される一方、当該回線を自装置と共有する他の通信端末装置のオン／オフフックに応じてオンフック状態またはオフフック状態となる当該回線がオンフックまたはオフフックのいずれの状態であるかを検出し、その検出結果に応じて所定の動作を行う通信端末装置において、
前記回線の直流電圧を測定してその電圧値を得る回線電圧測定手段と、基準オンフック電圧値を記憶する基準オンフック電圧値記憶手段と、前記回線電圧測定手段に所定の複数回前記回線の直流電圧を測定させて得られた各電圧値のうちの最低の電圧値を前記基準オンフック電圧値として前記基準オンフック電圧値記憶手段に設定・記憶させる基準オンフック電圧値設定手段と、前記基準オンフック電圧値記憶手段に記憶された基準オンフック電圧値よりも、前記回線電圧測定手段により測定される電圧値が低い場合に、前記回線はオフフック状態であると検出するオン／オフフック状態検出手段とを備え、そのオン／オフフック状態検出手段の検出結果に応じて前記所定の動作を行うことを特徴とする通信端末装置。
【請求項４】  前記基準オンフック電圧値設定手段は、前記回線電圧測定手段に所定の複数回前記回線の直流電圧を測定させて得られた各電圧値のうちの最大値と最低値との差が一定幅以上の場合には、前記回線電圧測定手段に所定の複数回前記回線の直流電圧を測定させて得られた各電圧値のうちの最大値と最低値との差が一定幅以下になるまで、同様の測定を繰り返し行い、前記回線電圧測定手段に所定の複数回前記回線の直流電圧を測定させて得られた各電圧値のうちの最大値と最低値との差が一定幅以下になったときの当該最低の電圧値を前記基準オンフック電圧値として前記基準オンフック電圧値記憶手段に設定・記憶させるものであることを特徴とする請求項３に記載の通信端末装置。
【請求項５】  前記基準オンフック電圧値設定手段は、前記回線電圧測定手段に所定の複数回前記回線の直流電圧を測定させて得られた各電圧値のうちの最低の電圧値を得る動作を定期的に行い、その最低の電圧値が、前記基準オンフック電圧値記憶手段に記憶されている前記基準オンフック電圧値よりも大きい場合には当該最低の電圧値を新たな基準オンフック電圧値として前記基準オンフック電圧値記憶手段に設定・記憶させるものであることを特徴とする請求項３または４のいずれかに記載の通信端末装置。
【請求項６】  公衆電話網の交換機またはそれに相当する構内交換機等の交換機に回線を介し接続される一方、当該回線を自装置と共有する他の通信端末装置のオン／オフフックに応じてオンフック状態またはオフフック状態となる当該回線がオンフックまたはオフフックのいずれの状態であるかを検出し、その検出結果に応じて所定の動作を行う通信端末装置において、
前記回線の直流電圧を測定してその電圧値を得る回線電圧測定手段と、前記回線上のダイヤルトーンの有無を検出するダイヤルトーン検出手段と、基準オフフック電圧値を記憶する基準オフフック電圧値記憶手段と、基準オンフック電圧値を記憶する基準オンフック電圧値記憶手段と、前記回線電圧測定手段に前記回線の直流電圧を測定させて電圧値を得た直後にオフフックすると共に前記ダイヤルトーン検出手段による検出により前記回線上のダイヤルトーンの有無を確認し、ダイヤルトーンが前記回線上にある場合には、当該電圧値を前記基準オンフック電圧値として前記基準オンフック電圧値記憶手段に設定・記憶させ、ダイヤルトーンが前記回線上にない場合には、当該電圧値を前記基準オフフック電圧値として前記基準オフフック電圧値記憶手段に設定・記憶させる基準オン／オフフック電圧値設定手段と、前記基準オンフック電圧値記憶手段に記憶された基準オンフック電圧値よりも、前記回線電圧測定手段に前記回線の直流電圧を測定させて得られた電圧値が低い場合、または、前記基準オフフック電圧値記憶手段に記憶された基準オフフック電圧値と、前記回線電圧測定手段に前記回線の直流電圧を測定させて得られた電圧値とに基づいて、前記回線はオフフック状態であると検出するオン／オフフック状態検出手段とを備え、そのオン／オフフック状態検出手段の検出結果に応じて前記所定の動作を行うことを特徴とする通信端末装置。
【手続補正２】
【補正対象書類名】明細書
【補正対象項目名】００１３
【補正方法】変更
【補正の内容】
【００１３】
【課題を解決するための手段】
請求項１に記載の通信端末装置は、公衆電話網の交換機またはそれに相当する構内交換機等の交換機に回線を介し接続される一方、当該回線を自装置と共有する他の通信端末装置のオン／オフフックに応じてオンフック状態またはオフフック状態となる当該回線がオンフックまたはオフフックのいずれの状態であるかを検出し、その検出結果に応じて所定の動作を行う通信端末装置において、前記回線の直流電圧を測定してその電圧値を得る回線電圧測定手段と、基準オフフック電圧値を記憶する基準オフフック電圧値記憶手段と、前記他の通信端末装置をオフフックするよう指示する所定の表示を行う他端末オフフック指示手段と、その他端末オフフック指示手段による当該所定の表示の後、前記他の通信端末装置が今オフフックされていることを示す所定の操作入力を検出する他端末オフフック認識手段と、その他端末オフフック認識手段により、その所定の操作入力が検出された後に、前記回線電圧測定手段により測定された電圧値を前記基準オフフック電圧値として前記基準オフフック電圧値記憶手段に設定・記憶させる基準オフフック電圧値設定手段と、前記基準オフフック電圧値記憶手段に記憶された基準オフフック電圧値と、前記回線電圧測定手段に前記回線の直流電圧を測定させて得られた電圧値とに基づいて、前記回線はオフフック状態であると検出するオン／オフフック状態検出手段とを備え、そのオン／オフフック状態検出手段の検出結果に応じて前記所定の動作を行うことを特徴とする。
【手続補正３】
【補正対象書類名】明細書
【補正対象項目名】００１４
【補正方法】変更
【補正の内容】
【００１４】
請求項２に記載の通信端末装置は、公衆電話網の交換機またはそれに相当する構内交換機等の交換機に回線を介し接続される一方、当該回線を自装置と共有する他の通信端末装置のオン／オフフックに応じてオンフック状態またはオフフック状態となる当該回線がオンフックまたはオフフックのいずれの状態であるかを検出し、その検出結果に応じて所定の動作を行う通信端末装置において、前記回線の直流電圧を測定してその電圧値を得る回線電圧測定手段と、基準オフフック電圧値を記憶する基準オフフック電圧値記憶手段と、自装置が設置され得る複数の地域をそれぞれ識別するための各設置地域識別情報と、それら各設置地域に適合する基準オフフック電圧値とを対応付けて予め記憶する地域別基準電圧値記憶手段と、所定の操作入力により指定された、自装置が実際に設置された地域に対応する前記設置地域識別情報に前記地域別基準オフフック電圧記憶手段において対応する基準オフフック電圧値を、前記基準オフフック電圧値記憶手段に設定・記憶させる基準オフフック電圧値設定手段と、前記基準オフフック電圧値記憶手段に記憶された基準オフフック電圧値と、前記回線電圧測定手段に前記回線の直流電圧を測定させて得られた電圧値とに基づいて、前記回線はオフフック状態であると検出するオン／オフフック状態検出手段とを備え、そのオン／オフフック状態検出手段の検出結果に応じて前記所定の動作を行うことを特徴とする。
【手続補正４】
【補正対象書類名】明細書
【補正対象項目名】００１７
【補正方法】変更
【補正の内容】
【００１７】
請求項５に記載の通信端末装置は、請求項３または４のいずれかに記載の通信端末装置において、前記基準オンフック電圧値設定手段は、前記回線電圧測定手段に所定の複数回前記回線の直流電圧を測定させて得られた各電圧値のうちの最低の電圧値を得る動作を定期的に行い、その最低の電圧値が、前記基準オンフック電圧値記憶手段に記憶されている前記基準オンフック電圧値よりも大きい場合には当該最低の電圧値を新たな基準オンフック電圧値として前記基準オンフック電圧値記憶手段に設定・記憶させるものであることを特徴とする。
【手続補正５】
【補正対象書類名】明細書
【補正対象項目名】００１８
【補正方法】変更
【補正の内容】
【００１８】
請求項６に記載の通信端末装置は、公衆電話網の交換機またはそれに相当する構内交換機等の交換機に回線を介し接続される一方、当該回線を自装置と共有する他の通信端末装置のオン／オフフックに応じてオンフック状態またはオフフック状態となる当該回線がオンフックまたはオフフックのいずれの状態であるかを検出し、その検出結果に応じて所定の動作を行う通信端末装置において、前記回線の直流電圧を測定してその電圧値を得る回線電圧測定手段と、前記回線上のダイヤルトーンの有無を検出するダイヤルトーン検出手段と、基準オフフック電圧値を記憶する基準オフフック電圧値記憶手段と、基準オンフック電圧値を記憶する基準オンフック電圧値記憶手段と、前記回線電圧測定手段に前記回線の直流電圧を測定させて電圧値を得た直後にオフフックすると共に前記ダイヤルトーン検出手段による検出により前記回線上のダイヤルトーンの有無を確認し、ダイヤルトーンが前記回線上にある場合には、当該電圧値を前記基準オンフック電圧値として前記基準オンフック電圧値記憶手段に設定・記憶させ、ダイヤルトーンが前記回線上にない場合には、当該電圧値を前記基準オフフック電圧値として前記基準オフフック電圧値記憶手段に設定・記憶させる基準オン／オフフック電圧値設定手段と、前記基準オンフック電圧値記憶手段に記憶された基準オンフック電圧値よりも、前記回線電圧測定手段に前記回線の直流電圧を測定させて得られた電圧値が低い場合、または、前記基準オフフック電圧値記憶手段に記憶された基準オフフック電圧値と、前記回線電圧測定手段に前記回線の直流電圧を測定させて得られた電圧値とに基づいて、前記回線はオフフック状態であると検出するオン／オフフック状態検出手段とを備え、そのオン／オフフック状態検出手段の検出結果に応じて前記所定の動作を行うことを特徴とする。